(57)【要約】【課題】幅方向の小型化を図ることができる、画像読取装置を提供する。【解決手段】第１読取部３５は、第１コネクタ５２を有している。第２読取部３６は、搬送路１６に対して第１読取部３５と反対側に配置され、第２コネクタ５６を有している。モータ１００は、第１読取部３５および第２読取部３６に対して左側に配置されている。メイン基板５０は、第１読取部３５に対して第２読取部３６側に配置され、第３コネクタ５９および第４コネクタ６０を有している。また、第１ケーブル６６は、第１コネクタ５２に一端が接続され、第３コネクタ５９に他端が接続されている。第２ケーブル６７は、第２コネクタ５６に一端が接続され、第４コネクタ６０に他端が接続されている。そして、第１ケーブル６６は、第１コネクタ５２と第３コネクタ５９との間で、第１読取部３５をモータ１００側に迂回している。【選択図】図４
2014195209.tif 000002
【特許請求の範囲】
【請求項１】
第１コネクタを有し、搬送路を搬送方向に搬送されるシートの画像を読み取るように構成された第１読取部と、
前記搬送路に対して前記第１読取部と反対側に配置され、第２コネクタを有し、前記搬送路を前記搬送方向に搬送される前記シートの画像を読み取るように構成された第２読取部と、
前記第１読取部および前記第２読取部に対して前記搬送方向と直交する幅方向の一方側に配置され、前記シートを搬送するための駆動力を発生する駆動源と、
前記第１読取部に対して前記第２読取部側に配置され、第３コネクタおよび第４コネクタを有する基板と、
前記第１コネクタに一端が接続され、前記第３コネクタに他端が接続された第１ケーブルと、
前記第２コネクタに一端が接続され、前記第４コネクタに他端が接続された第２ケーブルとを備え、
前記第１ケーブルは、前記第１コネクタと前記第３コネクタとの間で、前記第１読取部を前記駆動源側に迂回する、画像読取装置。
【請求項２】
前記基板は、前記第２読取部に対して前記第１読取部と反対側に配置され、
前記第２コネクタは、前記第２読取部における前記基板側に設けられ、
前記第２ケーブルは、前記第２コネクタと前記第４コネクタとの間で前記幅方向に延びる、請求項１に記載の画像読取装置。
【請求項３】
前記第１コネクタは、前記第１読取部における前記幅方向の他方側の端部に配置され、
前記第２コネクタは、前記第２読取部における前記幅方向の一方側の端部に配置され、
前記第３コネクタは、前記基板における前記幅方向の一方側の端部に配置され、
前記第４コネクタは、前記基板における前記幅方向の他方側の端部に配置されている、請求項２に記載の画像読取装置。
【請求項４】
前記第１コネクタは、前記第１ケーブルが前記搬送方向の下流側から接続されるように配置されている、請求項１〜３のいずれか一項に記載の画像読取装置。
【請求項５】
前記第２コネクタは、前記第２ケーブルが前記搬送方向の下流側から接続されるように配置されている、請求項１〜４のいずれか一項に記載の画像読取装置。
【請求項６】
前記駆動源に対して前記搬送方向の下流側に設けられ、前記搬送方向および前記幅方向の両方向と直交する直交方向に延びる壁部を備え、
前記第１ケーブルは、前記壁部に対して前記搬送方向の下流側を前記壁部に沿って延びる、請求項１〜５のいずれか一項に記載の画像読取装置。
【請求項７】
前記基板は、第５コネクタを有し、
前記第２読取部に対して前記第１読取部側に配置され、第６コネクタを有し、各種操作を受け付けるように構成される操作部と、
前記第５コネクタに一端が接続され、前記第６コネクタに他端が接続された第３ケーブルとを備え、
前記第３ケーブルは、前記第５コネクタと前記第６コネクタとの間で、前記第１読取部を前記駆動源側に迂回する、請求項１〜６のいずれか一項に記載の画像読取装置。
【請求項８】
前記第１ケーブルと前記第３ケーブルとの間に介在されるフィルムを備える、請求項７に記載の画像読取装置。
【請求項９】
シートが搬送される搬送路の上側に配置され、第１コネクタを有し、前記搬送路を搬送方向に搬送されるシートの画像を読み取るように構成された第１読取部と、
前記搬送路の下側に配置され、第２コネクタを有し、前記搬送路を前記搬送方向に搬送される前記シートの画像を読み取るように構成された第２読取部と、
前記第１読取部および前記第２読取部に対して前記搬送方向と直交する幅方向の一方側に配置され、前記シートを搬送するための駆動力を発生する駆動源と、
前記第２読取部の下側に配置され、第３コネクタおよび第４コネクタをそれぞれ前記幅方向の一方側および他方側の端部に有する基板と、
前記第１コネクタに一端が接続され、前記第３コネクタに他端が接続された第１ケーブルと、
前記第２コネクタに一端が接続され、前記第４コネクタに他端が接続された第２ケーブルとを備え、
前記第１コネクタは、前記第１読取部の上側における前記幅方向の他方側の端部に、前記第１ケーブルが前記搬送方向の下流側から接続されるように配置され、
前記第２コネクタは、前記第２読取部の下側における前記幅方向の一方側の端部に、前記第２ケーブルが前記搬送方向の下流側から接続されるように配置され、
前記第１ケーブルは、前記第１コネクタと前記第３コネクタとの間で、前記第１読取部を前記駆動源側に迂回し、
前記第２ケーブルは、前記第２コネクタと前記第４コネクタとの間で、前記幅方向に延びる、画像読取装置。
【発明の詳細な説明】
【技術分野】
【０００１】
本発明は、画像読取装置に関する。
【背景技術】
【０００２】
画像読取装置において、シートが搬送経路を搬送される間に、第１読取部および第２読取部により、そのシートの両面の画像を読み取ることができるものが知られている。
【０００３】
画像読取装置には、各部の動作を制御するための制御基板が備えられている。制御基板は、たとえば、第２読取部に対して第１読取部と反対側に位置している。そして、第１読取部および第２読取部は、それぞれ第１ケーブルおよび第２ケーブルを介して、制御基板と電気的に接続されている。
【先行技術文献】
【特許文献】
【０００４】
【特許文献１】特開２０１２−６７１４号公報
【発明の概要】
【発明が解決しようとする課題】
【０００５】
この構成では、第１ケーブルを第２読取部に対してシートの搬送方向と直交する幅方向の一方側に迂回させなければならない。そのため、幅方向において第２読取部に対する一方側に、第１ケーブルを引き回すためのスペースが必要となる。このスペースを省略することができれば、装置を幅方向に小型化することができる。
【０００６】
本発明の目的は、幅方向の小型化を図ることができる、画像読取装置を提供することである。
【課題を解決するための手段】
【０００７】
前記の目的を達成するため、本発明の一の局面に係る画像読取装置は、第１コネクタを有し、搬送路を搬送方向に搬送されるシートの画像を読み取るように構成された第１読取部と、搬送路に対して第１読取部と反対側に配置され、第２コネクタを有し、搬送路を搬送方向に搬送されるシートの画像を読み取るように構成された第２読取部と、第１読取部および第２読取部に対して搬送方向と直交する幅方向の一方側に配置され、シートを搬送するための駆動力を発生する駆動源と、第１読取部に対して第２読取部側に配置され、第３コネクタおよび第４コネクタを有する基板と、第１コネクタに一端が接続され、第３コネクタに他端が接続された第１ケーブルと、第２コネクタに一端が接続され、第４コネクタに他端が接続された第２ケーブルとを備え、第１ケーブルは、第１コネクタと第３コネクタとの間で、第１読取部を駆動源側に迂回する。
【０００８】
この構成によれば、第１ケーブルの一端は、第１読取部の第１コネクタに接続されている。第１ケーブルの他端は、基板の第３コネクタに接続されている。第１読取部および第２読取部に対して幅方向の一方側には、シートを搬送するための駆動力を発生する駆動源が配置されている。第１ケーブルは、第１読取部を駆動源側に迂回している。そのため、駆動源の周囲に存在するスペースを利用して、第１ケーブルを第１コネクタと第３コネクタとの間で引き回すことができる。よって、第１ケーブルを引き回すための領域を新たに設けることを抑制できる。その結果、幅方向の小型化を図ることができる。
【発明の効果】
【０００９】
本発明によれば、幅方向の小型化を図ることができる。
【図面の簡単な説明】
【００１０】
【図１】本発明の一実施形態に係る画像読取装置１の右上前側から見た外観斜視図であり、画像読取装置１の非使用時の状態を示す。
【図２】画像読取装置１の右上前側から見た外観斜視図であり、画像読取装置１の使用時の状態を示す。
【図３】画像読取装置１の図解的な断面図である。
【図４】第１読取部３５、第２読取部３６および操作部９とメイン基板５０との間での第１ケーブル６６、第２ケーブル６７および第３ケーブル６８の引き回し状態を示す斜視図である。
【図５】画像読取装置１の内部構成を示す斜視図である。
【図６】図５に示される内部構成の平面図である。
【図７】図５に示される内部構成の左下前側から見た斜視図である。
【図８】図５に示される内部構成の下面図である。
【図９】メイン基板５０の下面図である。
【図１０】操作部９および第３ケーブル６８の下面図である。
【図１１】画像読取装置１の左端部を前後方向に沿った切断面で切断したときの断面図である。
【発明を実施するための形態】
【００１１】
以下では、本発明の実施の形態について、添付図面を参照しつつ詳細に説明する。
【００１２】
＜全体構成＞
【００１３】
画像読取装置１は、筐体２およびトレイ３を備えている。
【００１４】
筐体２は、左フレーム４、右フレーム５、上フレーム６、下フレーム７、操作パネルフレーム８および操作部９を備えている。
【００１５】
なお、以下の説明では、筐体２に対して開位置に位置するトレイ３が位置する側を後側とし、下フレーム７に対する上フレーム６側を上側として、上下、左右および前後の各方向を規定する。そして、図１以降の各図では、矢印で方向を表示する。
【００１６】
図１および図２に示されるように、左フレーム４および右フレーム５は、左右方向に間隔を空けて配置されている。
【００１７】
上フレーム６および下フレーム７は、左フレーム４と右フレーム５との間に配置されている。
【００１８】
上フレーム６は、図２および図３に示されるように、下フレーム７に上側から重なる。
【００１９】
操作パネルフレーム８は、上フレーム６に上側から重なる。
【００２０】
操作部９は、操作パネルフレーム８において、下側の前後方向および左右方向の略中央に位置している。操作部９は、タッチパネル付の操作パネル１０を備えている。操作パネル１０は、図２に示されるように、操作パネルフレーム８に設けられた開口部１１から上側に露出するように配置されている。
【００２１】
トレイ３は、後トレイ１２、上トレイ１３および前トレイ１４を備えている。
【００２２】
後トレイ１２の左右方向と直交する方向の一端部は、上トレイ１３の左右方向と直交する方向の一端部に、左右方向に延びる軸線まわりに回動可能に連結されている。一方、後トレイ１２の他端部は、筐体２の左フレーム４および右フレーム５の上下方向の略中央に、非図示のトレイ軸部を中心に回動可能に支持されている。上トレイ１３の他端部は、前トレイ１４の左右方向と直交する方向の一端部に、左右方向に延びる軸線まわりに回動可能に連結されている。
【００２３】
これにより、トレイ３は、図１に示されるように、後トレイ１２が上フレーム６に後側から重なり、上トレイ１３が操作パネルフレーム８に上側から重なり、前トレイ１４が上フレーム６に前側から重なることにより、上フレーム６および操作パネルフレーム８を覆う。また、トレイ３は、その上フレーム６および操作パネルフレーム８を覆う閉位置から、図２に示されるように、後トレイ１２が下フレーム７の後上端部から後上側に延び、上トレイ１３が後トレイ１２と平行に延び、前トレイ１４が、上トレイ１３から上側に延びる開位置に変化させることができる。そして、トレイ３が開位置に位置するときに、トレイ３にシートＳを載置することができる。
【００２４】
トレイ３の上トレイ１３には、トレイ３が閉位置に位置するときに操作パネル１０と上下方向に重なる位置に、操作パネル１０の外形とほぼ同じサイズの開口１５が形成されている。これにより、トレイ３が開位置に位置する状態および閉位置に位置する状態のいずれの状態においても、操作パネル１０を視認することができる。
【００２５】
上フレーム６は、図３に示されるように、下フレーム７に対して上下方向に間隔を空けて配置されている。上フレーム６と下フレーム７との間は、シートＳが搬送される搬送路１６である。搬送路１６は、上フレーム６の後端縁と下フレーム７の後端縁との間に形成される導入口１７により、後上側に開放されている。また、搬送路１６は、上フレーム６の前端縁と下フレーム７の前端縁との間に形成される排出口１８により、前側に開放されている。シートＳは、導入口１７から搬送路１６に導入され、搬送路１６を排出口１８に向けて搬送される。以下、このシートＳの流れに沿って、画像読取装置１が備える各構成の説明を行う。
【００２６】
画像読取装置１は、供給ローラ３１、分離片３２、搬送駆動ローラ３３、搬送従動ローラ３４、第１読取部３５、第２読取部３６、排出駆動ローラ３７および排出従動ローラ３８を備えている。
【００２７】
供給ローラ３１は、導入口１７の前側に配置されている。供給ローラ３１は、下フレーム７に、下フレーム７の後端部で左右方向に延びる回転軸線まわりに回転可能に保持されている。供給ローラ３１の周面の一部は、下フレーム７の上面から前上側に突出している。
【００２８】
分離片３２は、たとえば、ゴムからなる。分離片３２は、上フレーム６に取り付けられている。分離片３２は、供給ローラ３１の周面に前上側から弾性的に当接している。
【００２９】
搬送駆動ローラ３３は、供給ローラ３１の前側に配置されている。搬送駆動ローラ３３は、下フレーム７に、左右方向に延びる回転軸線まわりに回転可能に保持されている。搬送駆動ローラ３３の周面の一部は、下フレーム７の上面から上側に突出している。
【００３０】
搬送従動ローラ３４は、搬送駆動ローラ３３の上側に配置されている。搬送従動ローラ３４は、上フレーム６に、左右方向に延びる回転軸線まわりに回転可能に保持されている。搬送従動ローラ３４の周面は、上フレーム６の下面から下側に突出し、搬送駆動ローラ３３の周面に当接している。
【００３１】
第１読取部３５は、搬送従動ローラ３４の前側に配置されている。第１読取部３５は、上フレーム６の下面から上側に凹んで形成された第１収容部４１に収容されている。第１読取部３５は、第１収容部４１内で左右方向に延びている。第１読取部３５は、その読取面を下側に向けた状態で第１収容部４１に収容されている。
【００３２】
第２読取部３６は、搬送駆動ローラ３３の前側に配置されている。第２読取部３６は、下フレーム７の上面から下側に凹んで形成された第２収容部４２に収容されている。第２読取部３６は、第２収容部４２内で左右方向に延びている。第２読取部３６は、その読取面を下側に向けた状態で第２収容部４２に収容されている。
【００３３】
排出駆動ローラ３７は、第２読取部３６の前側に配置されている。排出駆動ローラ３７は、下フレーム７に、下フレーム７の前端部で左右方向に延びる回転軸線まわりに回転可能に保持されている。排出駆動ローラ３７の周面の一部は、下フレーム７の上面から上側に突出している。
【００３４】
排出従動ローラ３８は、第１読取部３５の前側に配置されている。排出従動ローラ３８は、上フレーム６に、上フレーム６の前端部で左右方向に延びる回転軸線まわりに回転可能に保持されている。排出従動ローラ３８の周面は、上フレーム６の下面から下側に突出し、排出駆動ローラ３７の周面に当接している。
【００３５】
＜シートの画像の読み取り＞
【００３６】
シートＳの画像の読み取りの際には、図２に示されるように、トレイ３が開位置に配置される。そして、トレイ３上にシートＳが載置される。
【００３７】
トレイ３上に載置されるシートＳは、その先端部が供給ローラ３１および分離片３２に当接するまで、導入口１７内に差し込まれる。このとき、供給ローラ３１、搬送駆動ローラ３３および排出駆動ローラ３７が右側から見て反時計回りに回転される。また、搬送従動ローラ３４および排出従動ローラ３８は、それぞれ搬送駆動ローラ３３および排出駆動ローラ３７の回転に従動して、右側から見て時計回りに回転する。
【００３８】
シートＳの先端部が供給ローラ３１の周面に到達すると、供給ローラ３１からシートＳに搬送力が付与され、シートＳの先端部が供給ローラ３１と分離片３２との間に移動する。そして、シートＳが供給ローラ３１と分離片３２との間に挟まれたときに、シートＳが、１枚ずつに分離され、１枚のシートＳが供給ローラ３１と分離片３２との間を通過して、搬送駆動ローラ３３の周面と搬送従動ローラ３４の周面との間に移動する。
【００３９】
シートＳの先端部が搬送駆動ローラ３３の周面と搬送従動ローラ３４の周面との間に到達すると、搬送駆動ローラ３３および搬送従動ローラ３４からシートＳに搬送力が付与される。この搬送力により、シートＳは、前側に搬送されて、搬送駆動ローラ３３と搬送従動ローラ３４との間を通過する。
【００４０】
その後、シートＳは、第１読取部３５の読取面上および第２読取部３６の読取面上を通過する。このとき、第１読取部３５の読取面上および第２読取部３６の読取面上のシートＳに、それぞれ第１読取部３５および第２読取部３６から光が照射される。そして、シートＳでの反射光が第１読取部３５および第２読取部３６に受けられることにより、シートＳの両面の画像がそれぞれ読み取られる。
【００４１】
そして、シートＳの先端部が排出駆動ローラ３７の周面と排出従動ローラ３８の周面との間に到達すると、排出駆動ローラ３７および排出従動ローラ３８からシートＳに搬送力が付与される。この搬送力により、シートＳは、前側に搬送されて、排出口１８を通して排出される。
【００４２】
＜ケーブルの引き回し構造＞
【００４３】
操作部９は、図４に示されるように、第１読取部３５および第２読取部３６の上側に配置されている。第１読取部３５は、第２読取部３６の上側に配置されている。そして、画像読取装置１は、基板の一例としてのメイン基板５０を備えている。メイン基板５０は、第２読取部３６の下側に配置されている。
【００４４】
第１読取部３５は、図５および図６に示されるように、ユニット基板５１を備えている。ユニット基板５１は、第１読取部３５の上端に配置されている。第１読取部３５は、非図示のＬＥＤ光源およびイメージセンサなどの電子部品を備えている。これらの電子部品は、ユニット基板５１の下面に実装されている。また、第１読取部３５は、第１コネクタ５２を備えている。第１コネクタ５２は、ユニット基板５１の上面の右前端部に、差込口５３をシートＳの搬送方向の下流側、つまり前側に向けて配置されている。また、第１コネクタ５２は、上フレーム６の第１収容部４１の右端部に形成された切欠５４内に配置されている。切欠５４は、前側に開放されている。
【００４５】
第２読取部３６は、図７および図８に示されるように、ユニット基板５５を備えている。ユニット基板５５は、第２読取部３６の下端に配置されている。第２読取部３６は、非図示のＬＥＤ光源およびイメージセンサなどの電子部品を備えている。これらの電子部品は、ユニット基板５５の上面に実装されている。また、第２読取部３６は、第２コネクタ５６を備えている。第２コネクタ５６は、ユニット基板５５の下面の左前端部に、差込口５７をシートＳの搬送方向の下流側、つまり前側に向けて配置されている。また、第２コネクタ５６は、下フレーム７の第２収容部４２の左端部に形成された切欠５８内に配置されている。切欠５８は、前側に開放されている。
【００４６】
メイン基板５０は、図４および図９に示されるように、第３コネクタ５９、第４コネクタ６０および第５コネクタ６１を備えている。第３コネクタ５９および第５コネクタ６１は、メイン基板５０の下面の左端部に前後に並べられて、それぞれ差込口６２，６３を左側に向けて配置されている。第４コネクタ６０は、メイン基板５０の下面の右端部に、差込口６４を右側に向けて配置されている。第３コネクタ５９、第４コネクタ６０および第５コネクタ６１は、メイン基板５０に形成されている回路と電気的に接続されている。
【００４７】
操作部９は、図４および図１０に示されるように、パネル制御基板６２を備えている。操作パネル１０は、図３に示されるように、パネル制御基板６２の上面に配置されている。操作パネル１０は、パネル制御基板６２に形成されている回路と電気的に接続されている。また、操作部９は、図１０に示されるように、第６コネクタ６３を備えている。第６コネクタ６３は、パネル制御基板６２の下面の前端部に、差込口６５を前側に向けて配置されている。第６コネクタ６３は、パネル制御基板６２に形成されている回路と電気的に接続されている。
【００４８】
そして、画像読取装置１は、第１ケーブル６６、第２ケーブル６７および第３ケーブル６８を備えている。第１ケーブル６６、第２ケーブル６７および第３ケーブル６８は、それぞれＦＦＣ（Flexible Flat Cable：フレキシブルフラットケーブル）からなる。
【００４９】
第１ケーブル６６の一端は、第１コネクタ５２に接続されている。第１ケーブル６６の他端は、第３コネクタ５９に接続されている。これにより、第１読取部３５のユニット基板５１とメイン基板５０との間で、第１ケーブル６６を介して、信号を送受することができる。
【００５０】
第２ケーブル６７の一端は、第２コネクタ５６に接続されている。第２ケーブル６７の他端は、第４コネクタ６０に接続されている。これにより、第２読取部３６のユニット基板５５とメイン基板５０との間で、第２ケーブル６７を介して、信号を送受することができる。
【００５１】
第３ケーブル６８の一端は、第５コネクタ６１に接続されている。第３ケーブル６８の他端は、第６コネクタ６３に接続されている。これにより、操作部９のパネル制御基板６２とメイン基板５０との間で、第３ケーブル６８を介して、信号を送受することができる。
【００５２】
図５および図１１に示されるように、左フレーム４は、内壁部７０および内周壁部７１を備えている。
【００５３】
内壁部７０は、第１読取部３５および第２読取部３６の左側に位置している。内壁部７０は、前後方向および上下方向に延びている。内壁部７０の上端縁７３は、前後方向に延び、途中で屈曲して、その屈曲部分から前下側に傾斜して延びている。内壁部７０の前端縁７４は、上下方向に延びている。内壁部７０の後端縁７５は、上下方向に延びている。内壁部７０の下端縁７６は、前後方向に延びている。
【００５４】
内周壁部７１は、内壁部７０から左側に延びている。内周壁部７１は、内周上壁部７７、壁部の一例としての内周前壁部７８、内周下壁部７９および内周後壁部８０を備えている。内周上壁部７７は、内壁部７０の上端縁７３の全体および前端縁７４の上部に沿って形成されている。内周前壁部７８は、内壁部７０の前端縁７４の下部に沿って形成されている。内周上壁部７７の前端と内周前壁部７８の上端との間には、隙間が生じている。内周下壁部７９は、内壁部７０の下端縁７６に沿って形成されている。内周下壁部７９の前端は、内周前壁部７８の下端に接続されている。内周後壁部８０は、内壁部７０の後端縁７５に沿って形成されている。内周後壁部８０には、穴８１が前後方向に貫通して形成されている。内周後壁部８０の下端は、内周下壁部７９の後端に接続されている。内周後壁部８０の上端は、内周上壁部７７の後端に接続されている。
【００５５】
内周下壁部７９は、図７および図８に示されるように、内周下壁部７９の下面８２にフック８３を備えている。フック８３は、下面８２から下側に突出し、その下端部が左後側に延出している。
【００５６】
左フレーム４は、図１１に示されるように、ケーブル挿通部８９を備えている。
【００５７】
ケーブル挿通部８９は、内周前壁部７８の下端部の前側に内周前壁部７８と空間を空けて配置されている。ケーブル挿通部８９は、前板９０および後板９１を備えている。前板９０は、上下方向および左右方向に延びている。後板９１は、前板９０の後側に間隔を空けた位置で、前板９０と平行をなして延びている。
【００５８】
左フレーム４の内壁部７０の左側には、駆動源の一例としてのモータ１００が配置されている。モータ１００は、上下方向および前後方向において、内周壁部７１に囲まれている。モータ１００は、内壁部７０にねじ１０１により取り付けられている。モータ１００の非図示の出力軸は、右側に延び、内壁部７０に挿通されている。モータ１００が発生する駆動力は、非図示のギヤ機構を介して、供給ローラ３１、搬送駆動ローラ３３および排出駆動ローラ３７に伝達される。
【００５９】
図５、図６および図１１に示されるように、上フレーム６の左端部は、上壁部１１０を備えている。上壁部１１０は、図１１に示されるように、左フレーム４の内周上壁部７７の上側に設けられている。上壁部１１０は、前上壁部１１１、後上壁部１１２、前縦壁部１１３および後縦壁部１１４を備えている。後上壁部１１２は、前後方向および左右方向に延びている。前上壁部１１１は、後上壁部１１２の前端縁から下側に傾斜して前側に延びている。後縦壁部１１４は、後上壁部１１２の後端縁から上側に延びている。前縦壁部１１３は、前上壁部１１１の前端縁から下側に湾曲して延びている。前上壁部１１１、後上壁部１１２および前縦壁部１１３は、左フレーム４の内周上壁部７７の上面に沿っている。
【００６０】
第１ケーブル６６は、図４に示されるように、第１折返し部１１４、第２折返し部１１５、第１延部１１６、第３折返し部１１７、第２延部１１８、第４折返し部１１９および第３延部１２０を形成している。
【００６１】
第１折返し部１１４は、第１コネクタ５２から前側に延びて上側に折り返された後、後側に折り返されて形成されている。第２折返し部１１５は、第１折返し部１１４から後側に延びた後、左側に折り返されて形成されている。第１延部１１６は、第２折返し部１１５から左側に延びている。第３折返し部１１７は、第１延部１１６の端部を前側に折り返されて形成されている。第２延部１１８は、第３折返し部１１７から前側に延び、下側に湾曲しつつ延び、後側にさらに延びている。第４折返し部１１９は、第２延部１１８の端部を右側に折り返されて形成されている。第３延部１２０は、第４折返し部１１９から右側に延びて、第３コネクタ５９に接続されている。
【００６２】
第１延部１１６は、第１読取部３５の上側に位置する上フレーム６の上側を第１読取部３５に沿って第１読取部３５の右端部から左側に延びている。第３折返し部１１７は、上フレーム６の前上壁部１１１の上側に位置している。第２延部１１８は、上フレーム６の前上壁部１１１の上側、前縦壁部１１３の前側、左フレーム４の内周前壁部７８の前側および内周下壁部７９の下側に配置され、この順に沿って引き回されている。第４折返し部１１９は、左フレーム４の内周下壁部７９の下側に位置している。第２延部１１８は、内周前壁部７８の前側および内周下壁部７９の下側で、内周壁部７１の外周面に当接している。
【００６３】
第２ケーブル６７は、第１折返し部１２１、第２折返し部１２２、第１延部１２３、第３折返し部１２４および第２延部１２５を形成している。
【００６４】
第１折返し部１２１は、第２コネクタ５６から前側に延びて下側に折り返された後、後側に折り返されて形成されている。第２折返し部１２２は、第１折返し部１２１から後側に延びた後、右側に折り返されて形成されている。第１延部１２３は、第２折返し部１２２から右側に延びている。第３折返し部１２４は、第１延部１２３の端部を下側に折り返された後、左側に折り返されて形成されている。第２延部１２５は、第３折返し部１２４から左側に延びて、第４コネクタ６０に接続されている。
【００６５】
第２ケーブル６７の第１延部１２３は、第２読取部３６の下側に位置する下フレーム７とメイン基板５０との間の空間を、第２読取部３６の左端部から右側に延びている。第３折返し部１２４は、メイン基板５０の右端縁に位置している。第２ケーブル６７は、第３折返し部１２４により、メイン基板５０の下面側に回り込んでいる。
【００６６】
第３ケーブル６８は、図１０に示されるように、第１折返し部１２６、第２折返し部１２７、第１延部１２８、第３折返し部１２９、第２延部１３０、第４折返し部１３１、第３延部１３２、第５折返し部１３３、第４延部１３４、第６折返し部１３５および第５延部１３６を形成している。
【００６７】
第１折返し部１２６は、第６コネクタ６３から前側に延びて下側に折り返された後、後側に折り返されて形成されている。第２折返し部１２７は、第１折返し部１２６から後側に延びた後、左側に折り返されて形成されている。第１延部１２８は、第２折返し部１２７から左側に延びている。第３折返し部１２９は、第１延部１２８の端部を前側に折り返されて形成されている。第２延部１３０は、第３折返し部１２９から前側に延び、下側に湾曲しつつ延び、後側に延びている。第４折返し部１３１は、第２延部１３０の端部を右側に折り返されて形成されている。第３延部１３２は、第４折返し部１３１から右側に延びている。第５折返し部１３３は、第３延部１３２の端部を後側に折り返されて形成されている。第４延部１３４は、第５折返し部１３３から後側に延びている。第６折返し部１３５は、第４延部１３４の端部を右側に折り返されて形成されている。第５延部１３６は、第６折返し部１３５から右側に延びて、第５コネクタ６１に接続されている。
【００６８】
第３ケーブル６８の第３折返し部１２９は、図４に示されるように、第１ケーブル６６の第３折返し部１１７の上側に位置している。第２延部１３０は、内周壁部７１に対して第１ケーブル６６の第２延部１１８の外側を、第１ケーブル６６の第２延部１１８に沿って引き回されている。第３ケーブル６８の第２延部１３０は、図１１に示されるように、内周前壁部７８の前側の下端部において、ケーブル挿通部８９により、第１ケーブル６６の第２延部１１８と間隔を空けて保持されている。これにより、第３ケーブル６８の第２延部１３０は、内周上壁部７７の上側および内周前壁部７８の前側において、第１ケーブル６６の第２延部１１８と間隔が空けられている。
【００６９】
画像読取装置１は、図１１に示されるように、フィルム１４０を備えている。フィルム１４０は、内周下壁部７９の下面８２において、第１ケーブル６６と第３ケーブル６８の間に介在されている。具体的には、第１ケーブル６６の第４折返し部１１９の下側にフィルム１４０が位置している。そして、フィルム１４０の下側には、第３ケーブル６８の第４折返し部１３１、第３延部１３２、第５折返し部１３３、第４延部１３４および第６折返し部１３５が位置している。
【００７０】
フィルム１４０には、穴１４１が形成されている。フィルム１４０は、穴１４１に左フレーム４の内周下壁部７９のフック８３が係合されることにより、左フレーム４に取り付けられている。フィルム１４０は、第１ケーブル６６を内周下壁部７９に押さえつけている。また、フィルム１４０は、第１ケーブル６６と第３ケーブル６８とが直に接触することを抑制している。
【００７１】
画像読取装置１は、さらに非図示のフェライトコアを備えている。フェライトコアは、内周下壁部７９の下面８２において、第１ケーブル６６の第３延部１２０に取り付けられている。フェライトコアにより、第１ケーブル６６は、電磁干渉がさらに抑制される。
【００７２】
＜作用効果＞
【００７３】
以上のように、第１読取部３５は、第１コネクタ５２を有している。第２読取部３６は、搬送路１６に対して第１読取部３５と反対側に配置され、第２コネクタ５６を有している。モータ１００は、第１読取部３５および第２読取部３６に対して左側に配置されている。メイン基板５０は、第１読取部３５に対して第２読取部３６側に配置され、第３コネクタ５９および第４コネクタ６０を有している。また、第１ケーブル６６は、第１コネクタ５２に一端が接続され、第３コネクタ５９に他端が接続されている。第２ケーブル６７は、第２コネクタ５６に一端が接続され、第４コネクタ６０に他端が接続されている。そして、第１ケーブル６６は、第１コネクタ５２と第３コネクタ５９との間で、第１読取部３５をモータ１００側に迂回している。
【００７４】
この構成によれば、第１ケーブル６６の一端は、第１読取部３５の第１コネクタ５２に接続されている。第１ケーブル６６の他端は、メイン基板５０の第３コネクタ５９に接続されている。第１読取部３５および第２読取部３６に対して左側には、シートＳを搬送するための駆動力を発生するモータ１００が配置されている。第１ケーブル６６は、第１読取部３５をモータ１００側に迂回している。そのため、モータ１００の周囲に存在するスペースを利用して、第１ケーブル６６を第１コネクタ５２と第３コネクタ５９との間で引き回すことができる。よって、第１ケーブル６６を引き回すための領域を新たに設けることを抑制できる。その結果、幅方向の小型化を図ることができる。
【００７５】
メイン基板５０は、第２読取部３６に対して第１読取部３５と反対側に配置されている。第２コネクタ５６は、第２読取部３６におけるメイン基板５０側に設けられている。そして、第２ケーブル６７は、第２コネクタ５６と第４コネクタ６０との間で左右方向に延びている。
【００７６】
この構成によれば、第２読取部３６の第２コネクタ５６側とメイン基板５０との間には、左右方向に延びる空間が存在する。第２ケーブル６７は、その第２読取部３６とメイン基板５０との間の空間を引き回される。そのため、第２ケーブル６７を引き回すための領域を新たに確保する必要をなくすことができる。その結果、画像読取装置１のさらなる小型化を図ることができる。
【００７７】
第１コネクタ５２は、第１読取部３５における右端部に配置されている。第２コネクタ５６は、第２読取部３６における左端部に配置されている。そして、第３コネクタ５９は、メイン基板５０における左端部に配置されている。第４コネクタ６０は、メイン基板５０における右端部に配置されている。
【００７８】
この構成によれば、第１ケーブル６６は、第１読取部３５における右端部に配置された第１コネクタ５２から、第１読取部３５をモータ１００側に迂回して、メイン基板５０における左端部に配置された第３コネクタ５９に接続される。第２ケーブル６７は、第２読取部３６における左端部に配置された第２コネクタ５６から、左右方向に延びて、メイン基板５０における右端部に配置された第４コネクタ６０に接続される。したがって、第１ケーブル６６および第２ケーブル６７の引き回し距離が略同じになり、第１ケーブル６６と第２ケーブル６７とを略同じ長さにすることができる。また、メイン基板５０内でコネクタを設置する位置を分散することにより、メイン基板５０内で第３コネクタ５９および第４コネクタ６０を設置する領域を容易に確保することができる。
【００７９】
第１コネクタ５２は、第１ケーブル６６が前側から接続されるように配置されている。
【００８０】
この構成によれば、第１コネクタ５２の後側に搬送従動ローラ３４が存在していても、第１ケーブル６６を第１コネクタ５２に容易に接続することができる。
【００８１】
第２コネクタ５６は、第２ケーブル６７が前側から接続されるように配置されている。
【００８２】
この構成によれば、第２コネクタ５６の後側に搬送従動ローラ３４が存在していても、第２ケーブル６７を第２コネクタ５６に容易に接続することができる。
【００８３】
内周前壁部７８は、モータ１００の前側において、上下方向および左右方向に延びている。そして、第１ケーブル６６は、内周前壁部７８の前側を内周前壁部７８に沿って延びている。
【００８４】
この構成によれば、第１ケーブル６６とモータ１００との間に内周前壁部７８が介在される。そのため、第１ケーブル６６がモータ１００と接触することを抑制できる。その結果、モータ１００の電磁ノイズによる第１ケーブル６６への電磁干渉を抑制することができる。
【００８５】
メイン基板５０は、第５コネクタ６１を有している。また、操作部９のパネル制御基板６２は、第１読取部３５の上側に配置されており、第６コネクタ６３を有している。そして、第３ケーブル６８は、第５コネクタ６１と第６コネクタ６３との間で、第１読取部３５をモータ１００側に迂回している。
【００８６】
この構成によれば、操作部９は、第２読取部３６に対して第１読取部３５側に配置されている。第３ケーブル６８の一端は、メイン基板５０の第５コネクタ６１に接続されている。第３ケーブル６８の他端は、操作部９の第６コネクタ６３に接続されている。そして、第３ケーブル６８は、第５コネクタ６１と第６コネクタ６３との間で、第１読取部３５をモータ１００側に迂回している。第１読取部３５および第２読取部３６に対して左側には、シートＳを搬送するための駆動力を発生するモータ１００が配置されている。第３ケーブル６８は、第１読取部３５をモータ１００側に迂回している。そのため、モータ１００の周囲に存在するスペースを利用して、第３ケーブル６８を第５コネクタ６１と第６コネクタ６３との間で引き回すことができる。よって、第３ケーブル６８を引き回すための領域を新たに設けることを抑制できる。その結果、幅方向の小型化を図ることができる。
【００８７】
第１ケーブル６６と第３ケーブル６８との間に介在されるフィルム１４０を備えている。
【００８８】
この構成によれば、第１ケーブル６６と第３ケーブル６８との間に、フィルム１４０が介在される。そのため、第１ケーブル６６と第３ケーブル６８とが直に接触することを抑制できる。その結果、第１ケーブル６６と第３ケーブル６８との相互間での、電磁干渉を抑制することができる。
【００８９】
＜変形例＞
【００９０】
以上、本発明の一実施形態について説明したが、本発明は、他の形態で実施することもできる。
【００９１】
前述の実施形態においては、第１ケーブル６６、第２ケーブル６７および第３ケーブル６８にＦＦＣを用いたが、第１ケーブル６６、第２ケーブル６７および第３ケーブル６８に、ＦＦＣ以外のケーブルを用いてもよい。
【００９２】
また、第１コネクタ５２、第２コネクタ５６および第６コネクタ６３は、それぞれ第１ケーブル６６、第２ケーブル６７および第３ケーブル６８が搬送方向の下流側以外の方向、たとえば、上流側から接続されるように配置されていてもよい。
【００９３】
その他、前述の構成には、特許請求の範囲に記載された事項の範囲で種々の設計変更を施すことが可能である。
【符号の説明】
【００９４】
１      画像読取装置
９      操作部
１６    搬送路
３５    第１読取部
３６    第２読取部
５０    メイン基板
５２    第１コネクタ
５６    第２コネクタ
５９    第３コネクタ
６０    第４コネクタ
６１    第５コネクタ
６３    第６コネクタ
６６    第１ケーブル
６７    第２ケーブル
６８    第３ケーブル
７８    内周前壁部
１００  モータ
１４０  フィルム
Ｓ      シート
【図１】
2014195209.tif 000003
【図２】
2014195209.tif 000004
【図３】
2014195209.tif 000005
【図４】
2014195209.tif 000006
【図５】
2014195209.tif 000007
【図６】
2014195209.tif 000008
【図７】
2014195209.tif 000009
【図８】
2014195209.tif 000010
【図９】
2014195209.tif 000011
【図１０】
2014195209.tif 000012
【図１１】
2014195209.tif 000013